(57)【特許請求の範囲】
【請求項１】
遊技盤の遊技領域に形成された開口部に対応して遊技部品を装着した弾球遊技機において、
前記遊技部品は前記開口部の内側に配置された内側配置部と、
前記遊技盤に前側から装着され且つ前記内側配置部の外周側で前記開口部を塞ぐ前飾り体と、
前記内側配置部の外側で前記前飾り体に設けられた発光表示部とを備え、
前記内側配置部とは別に前記遊技盤の裏側に設けられ且つ前記開口部の内周と前記内側配置部との隙間部分を経て前記発光表示部に光を照射する発光手段を備えた
ことを特徴とする弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機等の弾球遊技機には、アクリル板等の透明な遊技板を用いた透明型の遊技盤を採用し、その遊技盤の遊技領域の略中央に画像表示手段を配置し、周辺部分に普通図柄始動手段、特別図柄始動手段、普通入賞手段及び可変入賞手段を配置したものがある（特許文献１）。
【０００３】
この種の遊技盤を製作するに際しては、画像表示手段、可変入賞手段等の各遊技部品の装着箇所に、遊技板に予め遊技部品の形状に応じた開口部を孔加工しておき、その後に例えば画像表示手段は前後両側から、可変入賞手段は前側から各開口部に対応して遊技盤に構成部材を順次装着しながら組み立てて行く。
【先行技術文献】
【特許文献】
【０００４】
【特許文献１】特開２０１１−２１７９３９号公報
【発明の概要】
【発明が解決しようとする課題】
【０００５】
従来の遊技盤は、各機種毎にその画像表示手段、可変入賞手段等に対応する開口部を形成して、その各開口部に対応して構成部材を夫々装着している。
【０００６】
本発明は、遊技盤の開口部の隙間部分を有効に活用できる弾球遊技機を提供することを目的とする。
【課題を解決するための手段】
【０００７】
本発明は、遊技盤の遊技領域に形成された開口部に対応して遊技部品を装着した弾球遊技機において、前記遊技部品は前記開口部の内側に配置された内側配置部と、前記遊技盤に前側から装着され且つ前記内側配置部の外周側で前記開口部を塞ぐ前飾り体と、前記内側配置部の外側で前記前飾り体に設けられた発光表示部とを備え、前記内側配置部とは別に前記遊技盤の裏側に設けられ且つ前記開口部の内周と前記内側配置部との隙間部分を経て前記発光表示部に光を照射する発光手段を備えたものである。
【発明の効果】
【００１０】
本発明によれば、遊技盤の開口部の隙間部分を有効に活用できる利点がある。
【図面の簡単な説明】
【００１１】
【図１】本発明の第１の実施形態を示すパチンコ機の正面図である。
【図２】同遊技盤の平面断面図である。
【図３】同遊技盤の平面断面図である。
【図４】本発明の第２の実施形態を示す遊技盤の正面図である。
【図５】同遊技盤の平面断面図である。
【図６】同遊技盤の平面断面図である。
【図７】本発明の第３の実施形態を示す可変入賞手段の正面図である。
【図８】同可変入賞手段の平面断面図である。
【図９】同可変入賞手段の正面図である。
【図１０】同可変入賞手段の平面断面図である。
【図１１】本発明の第４の実施形態を示す正面図である。
【図１２】同可変入賞手段の平面断面図である。
【図１３】本発明の第５の実施形態を示す正面図である。
【図１４】同可変入賞手段の平面断面図である。
【図１５】同可変入賞手段の平面断面図である。
【発明を実施するための形態】
【００１２】
以下、本発明の各実施形態を図面に基づいて詳述する。図１〜図３は本発明をパチンコ機に採用した第１の実施形態を例示している。このパチンコ機１は、図１に示すように矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対して同じ側のヒンジ７により縦軸廻りに開閉自在に枢着されている。
【００１３】
前面板６の前側には発射用の遊技球を貯留する球貯留皿８が配置され、その側方に遊技球を発射する発射手段（図示省略）の発射ハンドル９が設けられている。ガラス扉５の裏側には、このガラス扉５に対応するように前枠４に遊技盤１１が着脱自在に装着されている。球貯留皿８の前側には回転発光灯１６とチャンスボタン１７とが設けられている。
【００１４】
前枠４は、図２に示すように、ガラス扉５の裏側に対応して矩形枠状に形成された遊技盤装着部１０を備え、この遊技盤装着部１０に遊技盤１１が前側から着脱自在に装着されている。遊技盤１１はアクリル板等の透明遊技板により構成されており、この遊技盤１１の裏側には、遊技盤１１を裏側から覆う裏構造体１２が設けられている。裏構造体１２はその外周部に遊技盤１１の裏側に当接する取り付け部１３と、この取り付け部１３の外周から前側に突出し且つ遊技盤１１を外側から取り囲む保護壁部１４とを一体に備え、その取り付け部１３がネジ等の固定具１５により遊技盤１１の裏面に着脱自在に固定されている。なお、遊技盤１１を構成する遊技板と裏構造体１２の取り付け部１３との積層厚さは前枠４の遊技盤装着部１０の装着寸法と略一致しており、遊技盤１１は遊技盤装着部１０内でその積層部分に対応するロック具（図示省略）により着脱自在に固定されている。
【００１５】
遊技盤１１の前面にはガイドレール１９と装飾兼用の区画部材２０とが環状に配置され、その内側が遊技領域２１となっている。ガイドレール１９は発射手段から発射された遊技球を遊技領域２１へと案内するようになっている。遊技領域２１には画像表示手段（遊技部品）２２、普通図柄始動手段２３、特別図柄始動手段２４、可変入賞手段（遊技部品）２５、普通入賞手段２６等の各種の遊技部品が配置されている。
【００１６】
画像表示手段２２は遊技領域２１の略中央に配置されており、図２、図３に示すように、遊技盤１１の開口部２８の内側に対応して遊技盤１１の裏側に配置された液晶式、プラズマ式等の画像表示部２９と、開口部２８に対応して遊技盤１１の前側に装着され且つ画像表示部２９の外周側で開口部２８を前側から覆う前飾り体３０とを備え、前飾り体３０の内周の表示窓３１から画像表示部２９の表示画像を視認可能である。前飾り体３０の上部には、図１に示すように普通図柄表示手段３２、特別図柄表示手段３３が設けられている。なお、普通図柄表示手段３２、特別図柄表示手段３３は他の箇所に設けても良い。
【００１７】
普通図柄始動手段２３はガイドレール１９と画像表示手段２２との間に配置されている。特別図柄始動手段２４、可変入賞手段２５は画像表示手段２２と遊技領域２１の最下部のアウト口３４との間に上下に配置され、その可変入賞手段２５の左右両側に２個の普通入賞手段２６が配置されている。特別図柄始動手段２４は非開閉式入賞口３５と開閉式入賞口３６とを有する。開閉式入賞口３６は左右に開閉する一対の開閉部材３７を有し、普通図柄表示手段３２の変動後の普通図柄が当たり図柄で停止したときに開閉部材３７が所定時間左右に開放して、上方から落下する遊技球を開閉部材３７を経て開閉式入賞口３６へと入賞させるようになっている。
【００１８】
可変入賞手段２５は、可変入賞口３８と、この可変入賞口３８の入賞領域を変化させるための開閉扉３９とを有し、特別図柄表示手段３３の変動後の特別図柄が特別遊技態様となって特別遊技状態が発生したときに開閉扉３９が前側に開放して、上方から落下する遊技球を開閉扉３９を経て可変入賞口３８へと入賞させるようになっている。
【００１９】
なお、可変入賞手段２５は特別遊技状態中は開閉扉３９の開放から所定時間（例えば３０秒程度）が経過するか、その間に所定数（例えば１０個）の遊技球が入賞したときに開閉扉３９を閉じる動作を１ラウンドとし、この動作を所定回数（例えば１６ラウンド）継続するようになっている。
【００２０】
普通図柄表示手段３２は普通図柄を変動表示するためのもので、複数種類の普通図柄（例えば２種類の「○」「×」）に対応する複数個の発光素子により構成されており、普通図柄始動手段２３が遊技球を検出することを条件に２つの発光素子が所定時間交互に点滅して、普通図柄始動手段２３の遊技球の検出時に抽選した乱数値が予め定められた当たり判定値と一致した場合に当たり態様の「○」側の発光素子が点灯し、それ以外の場合に外れ態様の「×」側の発光素子が点灯して停止するようになっている。なお、普通図柄が当たり態様を停止表示したときに開閉部材３７が所定時間開放して、開閉式入賞口３６に遊技球が入賞し易くなる。
【００２１】
特別図柄表示手段３３は１個又は複数個、例えば１個の特別図柄を変動表示可能な７セグメント式等の表示手段により構成されており、特別図柄始動手段２４が遊技球を検出することを条件に特別図柄を所定時間変動表示して、特別図柄始動手段２４の遊技球の検出時に抽選された乱数値が予め定められた特別遊技乱数値と一致した場合に所定の特別遊技態様で停止し、それ以外の場合に非特別遊技態様で停止するようになっている。
【００２２】
画像表示部２９は矩形状、その他の形状であって、遊技盤１１の裏側で開口部２８の内側に対応する内側対応部を構成する。この画像表示部２９は、図１に示すように、遊技中は演出図柄４１ａ〜４１ｃとその背景画像とを発光表示し、また特定の遊技状態になったときには、可動演出役物の演出動作と同期して予告演出画像４２を発光表示する。
【００２３】
演出図柄４１ａ〜４１ｃは画像表示部２９の適当な位置に複数個、例えば３個表示され、その各演出図柄４１ａ〜４１ｃは特別図柄表示手段３３の特別図柄の変動に同期して変動を開始し、所定の変動パターンを経て所定時間変動した後、特別図柄の変動終了に同期して所定の順序で順次停止する。
【００２４】
そして、演出図柄４１ａ〜４１ｃの変動後の停止図柄は、特別図柄表示手段３３の特別図柄が特別遊技態様で停止する場合には全てが揃う特別遊技演出態様となり、特別図柄が非特別遊技態様で停止する場合には少なくとも一部が異なる非特別遊技演出態様となる。例えば、特別図柄が特別遊技態様で停止する場合には、演出図柄４１ａ〜４１ｃは「７・７・７」等で停止し、特別図柄が外れ態様で停止する場合には演出図柄４１ａ〜４１ｃは「３・４・５」等で停止する。
【００２５】
遊技盤１１の開口部２８は複数機種の画像表示手段２２に共通する大きさ、形状であり、この実施形態では、図１、図２に示す画像表示手段２２Ａと、図３に示す画像表示手段２２Ｂとの二種類の画像表示手段２２Ａ，２２Ｂに共通する形状、大きさに形成されている。
【００２６】
図１、図２に示す画像表示手段２２Ａは、画像表示部２９の一側に可動演出手段４４が配置されている。可動演出手段４４は下端部が前後方向の枢軸４５により支持板４６に枢着された可動演出体４７と、支持板４６に装着され且つ可動演出体４７を枢軸４５廻りに退避位置Ｘと演出位置Ｙとの間で駆動する駆動手段４８とを備え、支持板４６は画像表示部２９の一側で裏構造体１２に取り付けられている。
【００２７】
退避位置Ｘは可動演出体４７が画像表示部２９と開口部２８の内周面との間で前飾り体３０の裏側に隠れる位置であり、演出位置Ｙは可動演出体４７が画像表示部２９の前側に突出する位置である。なお、退避位置Ｘは可動演出体４７の一部が画像表示部２９と重なっても良いし、可動演出体４７の一部が前飾り体３０から画像表示部２９側に突出する位置でも良い。
【００２８】
画像表示手段２２Ａの前飾り体３０は、図２に示すように、画像表示部２９の外周で開口部２８を前側から塞ぐようになっており、可動演出手段４４側は反対側に比較して左右幅が広くなっている。この前飾り体３０は裏側部材４９と前側部材５０とをネジ等の固定具５１で結合して構成されている。
【００２９】
裏側部材４９は外周部分が開口部２８の外側で遊技盤１１の前面に当接する取り付け板５２と、この取り付け板５２の幅方向の中間から裏側に一体に突出し且つ開口部２８内に配置される裏周壁部５３と、裏周壁部５３の外周と取り付け板５２とに跨がって形成された周方向に複数個の補強部５４とを一体に備えている。取り付け板５２はネジ等の固定具５２ａにより遊技盤１１に固定されている。裏周壁部５３は開口部２８内に配置された内側配置部を構成する。
【００３０】
前側部材５０は前周壁部５５と、画像表示部２９用の表示窓３１を形成する内周側の窓壁部５６と、前周壁部５５及び窓壁部５６の前側の前飾り部５７とを有し、窓壁部５６には可動演出体４７の出退用の切り欠き部５８が設けられている。
【００３１】
図３に示す画像表示手段２２Ｂは、開口部２８の全域又は全域に近い表示領域で演出画像を表示し、その演出画像を開口部２８又は遊技盤１１及び／又は前飾り体３０等を介して前側から直接又は間接的に視認できるようになっている。この画像表示手段２２Ｂは、図３に示すように、遊技領域２１の左右幅の略全域で開口部２８に対応する画像表示部２９と、画像表示部２９の外周部で開口部２８を前側から塞ぐ前飾り体３０とを有する。前飾り体３０は左右幅の狭い取り付け板５２と、取り付け板５２の内周側から裏側に突出する裏周壁部５３と、取り付け板５２の内周側から前側に突出する前周壁部５５、及び前周壁部５５に連続する前飾り部５７及び窓壁部５６を一体に有する。取り付け板５２はネジ等の固定具５２ａにより遊技盤１１に固定されている。
【００３２】
なお，遊技盤１１の裏側、前側部材５０の裏側内部には発光演出手段５９，６０が設けられている。発光演出手段５９，６０は発光基板５９ａ，６０ａと、この発光基板５９ａ，６０ａに装着された発光体５９ｂ，６０ｂとを有する。前飾り体３０は可動演出体４７、画像表示部２９の表示画像等を前側から視認できるように透明になっている。前飾り体３０は半透明、不透明でも良い。また画像表示手段２２Ａの前飾り体３０は二部材により、画像表示手段２２Ｂの前飾り体３０は一部材により構成しているが、多数の部材を組み合わせて構成しても良い。
【００３３】
なお、裏構造体１２は画像表示部２９等の装着枠と、遊技盤１１に装着された可変入賞手段２５等の各種の遊技盤部品を裏側から覆うカバーとを兼用しているが、遊技盤１１の裏側全体を覆う必要はなく、画像表示部２９の装着に必要な枠構造とし、これとは別に使用箇所を覆うカバーを設けてもよい。
【００３４】
このような構成のパチンコ機では、次のような利点がある。即ち、この実施形態では、遊技盤１１用の遊技板に二種類の画像表示手段２２Ａ，２２Ｂに共通の開口部２８を形成し、この開口部２８に対応して遊技盤１１の前後両側に各画像表示手段２２Ａ，２２Ｂの構成部材を夫々装着しているため、他の可変入賞手段２５等に対応する開口部（図示省略）も同様に構成することにより、遊技盤１１を構成する遊技板を複数機種に共通に使用することが可能となり、遊技板の汎用化を図ることができる。
【００３５】
また仮に可変入賞手段２５等に対応する開口部の位置、形状が異なる場合でも、画像表示手段２２Ａ，２２Ｂ用の開口部２８を共通化することによって、開口部２８を形成するに際しての加工機の設定変更等の作業量を少なくできるので、作業能率が向上する。従って、二種類の画像表示手段２２Ａ，２２Ｂに共通の開口部２８を設けることによって、遊技盤１１の製作コストの低減を図ることができる。
【００３６】
また画像表示手段２２Ａ，２２Ｂは開口部２８に対応する画像表示部２９と、この画像表示部２９の外周又は外周側で遊技盤１１に装着された前飾り体３０とを有し、しかも前飾り体３０は開口部２８内に配置される裏周壁部５３と、裏周壁部５３の外周で開口部２８を塞ぐ取り付け板５２とを備えているので、開口部２８が二種類の画像表示手段２２Ａ，２２Ｂに対応可能であるに拘わらず、開口部２８を前側から塞ぐことができる。
【００３７】
更に画像表示部２９の一側に可動演出手段４４を設けるような場合には、その可動演出手段４４側では前飾り体３０の取り付け板５２の左右幅が大になる等、開口部２８の共通化を図ることによって、前飾り体３０の正面視での幅が大きくなるが、そのような部分では裏周壁部５３の外周で取り付け板５２の裏側に補強リブ等の補強部５４を適宜設けることにより、前飾り体３０側に所定の強度を容易に確保できる。
【００３８】
図４〜図６は本発明の第２の実施形態を例示する。この実施形態では、図４に示すように前飾り体３０の右側の前周壁部５５と、その外側の区画部材２０との間に右打ち通路６２が形成されている。遊技盤１１には開口部２８に対応して二種類の画像表示手段２２Ａ，２２Ｂの何れかが装着されるが、その一方の前飾り体３０には開放状の右打ち通路６２（図４、図５参照）、他方の前飾り体３０には閉鎖状の右打ち通路６２（図６参照）が夫々設けられている。
【００３９】
画像表示手段２２Ａの前飾り体３０は、図４、図５に示すように、取り付け板５２から裏側に突出し且つ開口部２８内に配置される裏周壁部５３と、取り付け板５２から前側に突出して前飾り部５７を支持する前周壁部５５とが取り付け板５２の前後両側に一体に形成されている。前周壁部５５は前飾り部５７の外周側にあり、この前周壁部５５の外側が右打ち通路６２となっている。
【００４０】
画像表示手段２２Ｂの前飾り体３０は、図６に示すように遊技盤１１に前側から装着された裏側部材４９と、この裏側部材４９の前面に装着された前側部材５０とを備えている。裏側部材４９は遊技盤１１の前面に当接する取り付け板５２と、この取り付け板５２から裏側に突出する裏周壁部５３とが一体に設けられている。
【００４１】
前側部材５０は前周壁部５５及び前飾り部５７と、右打ち通路６２を挟んで前周壁部５５の外側に配置された外周壁部６３と、両周壁部５５，６３間で右打ち通路６２の前側に設けられた前壁部６４とが一体に設けられている。前壁部６４には右打ち通路６２を通過する遊技球を前側から視認できるように小孔等の視認部６５が設けられている。なお、他の構成は第１の実施形態と同様である。
【００４２】
裏周壁部５３と前周壁部５５とが前後に相対応する前飾り体３０の場合には、図５に示すように、前飾り体３０の一体成型が可能であり、右打ち通路６２は開放状であることが望ましい。また裏周壁部５３と前周壁部５５とが取り付け板５２の幅方向にずれる前飾り体３０の場合には、図６に示すように一体成型が困難であり、裏側部材４９と前側部材５０とにより構成することになる。このような場合には、前側部材５０に外周壁部６３、前壁部６４を設けることにより、右打ち通路６２を閉鎖状に構成することが可能である。
【００４３】
図７〜図１０は本発明の第３の実施形態を例示する。この実施形態では、大小異なる二種類の可変入賞手段２５Ａ，２５Ｂに対応可能な共通の開口部６８が遊技盤１１に形成されており、この開口部６８に対応して二種類の可変入賞手段２５Ａ，２５Ｂの何れかを遊技盤１１に着脱自在に装着できるようになっている。
【００４４】
遊技盤１１には、図７、図９に示すように、二種類の可変入賞手段２５Ａ，２５Ｂに共通する正面視略横長矩形状の開口部６８が設けられている。なお、遊技盤１１には画像表示手段２２等の各遊技部品に対応する箇所にも、複数種類の画像表示手段２２等に共通の開口部（図示省略）が夫々設けられている。
【００４５】
可変入賞手段２５Ａ，２５Ｂには、図８、図１０からも判るように可変入賞口６９の左右長さの違いにより大型、小型の二種類があり、遊技盤１１の開口部６８はその両可変入賞手段２５Ａ，２５Ｂに共通する形状、大きさに形成されている。つまり、開口部６８は大型用の可変入賞手段２５Ａに合わせて形成されている。
【００４６】
各可変入賞手段２５Ａ，２５Ｂは、図７〜図１０に示すように、前面側に横長矩形状の可変入賞口６９を有する入賞ケース等により構成された入賞手段本体７０と、入賞手段本体７０の可変入賞口６９を開閉し且つ開放状態のときに遊技球を可変入賞口６９へと案内する開閉扉７１と、入賞手段本体７０の前端側の外周に一体に設けられ且つ遊技盤１１の前面にネジ等の固定具７２により固定された前飾り体７３と、入賞手段本体７０の裏側に設けられ且つ入賞手段本体７０内の遊技球を遊技盤１１の裏側に案内する球通路７４と、開閉扉７１を開閉する駆動手段（図示省略）とを備えている。
【００４７】
入賞手段本体７０は開口部６８の内側に配置された内側配置部を構成するもので、遊技盤１１の前側から開口部６８内に挿入されている。開閉扉７１は下端側に配置された横方向の支軸７５により入賞手段本体７０に開閉自在に枢支され、閉状態のときには支軸７５から上側に起立し、開状態のときには支軸７５から前上がりに傾斜して、上方から落下する遊技球を可変入賞口６９へと案内するようになっている。
【００４８】
前飾り体７３は入賞手段本体７０の外周で開口部６８を塞ぎ且つ可変入賞手段２５Ａ，２５Ｂを遊技盤１１の前面に取り付けるためのものであり、取り付け板７３ａにより構成されている。なお、入賞手段本体７０の外周で開口部６８を塞ぐ必要から、前飾り体７３の左右両端間の寸法等、取り付け板７３ａの外周側の寸法は、両可変入賞手段２５Ａ，２５Ｂで略同じになっている。
【００４９】
小型の可変入賞手段２５Ｂは、開口部６８の左右長さに比して入賞手段本体７０の左右長さが小さいため、開口部６８の内周面と入賞手段本体７０の外周面との間に図９に示すように大きな隙間７６があり、また前飾り体７３もその隙間７６に対応する左右幅を有する。そこで、前飾り体７３の左右両側には発光表示部７８が設けられ、この発光表示部７８を後方から発光させる発光手段７９が発光表示部７８に対応して後方に設けられている。
【００５０】
発光表示部７８は発光手段７９からの光を乱反射して発光するように構成され、上下方向に１個又は複数個設けられている。なお、発光表示部７８は上下方向に長く構成しても良い。発光手段７９は遊技盤１１の裏側に配置された発光基板７９ａと、この発光基板７９ａの前面に装着された発光体７９ｂとを備え、特定の遊技状態となったときに発光体７９ｂが発光して、前飾り体７３の発光表示部７８に光を照射して発光表示部７８を発光させるようになっている。発光手段７９は可変入賞手段２５Ｂとは別に取り付けられており、その発光基板７９ａは遊技盤１１又は裏構造体１２等に適宜手段を介して固定されている。
【００５１】
透明な遊技盤１１の裏面には、絵柄が印刷された装飾シート８０が装着され、この装飾シート８０の裏側に、発光基板８１ａ及び発光体８１ｂを含む発光手段８１が配置されている。このような場合には、発光手段７９はその発光手段８１の一部を利用して設けても良い。なお、前飾り体７３の発光表示部７８と、この発光表示部７８に対応する発光手段７９は、入賞手段本体７０を取り囲むように略全周に設けても良い。他の構成は第１の実施形態と同様である。
【００５２】
このように遊技盤１１に可変入賞手段２５Ａ，２５Ｂ用の開口部６８を設ける場合にも、その開口部６８を二種類の可変入賞手段２５Ａ，２５Ｂに共通な形状、大きさとすることにより、開口部６８の隙間部分を有効に活用できるため、遊技盤１１の製作コストを削減することができる。また小型の可変入賞手段２５Ｂを採用するに当たっては、入賞手段本体７０に比して前飾り体７３用の取り付け板７３ａの面積が大になり、入賞手段本体７０の外周面と開口部６８の内周面との間の隙間７６が大になるので、その取り付け板７３ａの前面側の広がり、入賞手段本体７０の外周面と開口部６８の内周面との隙間７６を利用して、発光表示部７８、発光手段７９等を設けることができる。このため発光表示部７８の発光により遊技状態の変化を演出することも可能である。
【００５３】
図１１、図１２は本発明の第４の実施形態を例示する。この実施形態では、小型の可変入賞手段２５Ｂを開口部６８に対応して装着するに当たって、入賞手段本体７０の前飾り体７３の取り付け台８２を介して遊技盤１１に装着するようにしている。
【００５４】
入賞手段本体７０は外周に鍔状の取り付け部７０ａを一体に備えている。前飾り体７３は入賞手段本体７０よりも大きい取り付け台８２により構成されている。取り付け台８２は入賞手段本体７０が挿入される横長矩形状の開口８４ａと、この開口８４ａを取り囲む装着部８４ｂを有し、その装着部８４ｂにネジ等の固定具８３を介して入賞手段本体７０の取り付け部７０ａが着脱自在に取り付けられている。
【００５５】
取り付け台８２は外周側の固定手段８５により遊技盤１１の開口部６８に対応して着脱自在に装着されている。固定手段８５は開口部６８の内周縁の後端側に係合する係合爪等の係合手段８５ａと、取り付け台８２を遊技盤１１の開口部６８に対して位置決めする位置決め手段８５ｂとを備えている。なお、固定手段８５は係合手段８５ａに代えて他のネジ等でも良い。
【００５６】
取り付け台８２は左右両側等の適当箇所の前面側に配置された発光表示部７８と、この発光表示部７８に光を導光する導光部８６とを一体に備え、その導光部８６に対応して発光手段７９の発光体７９ｂが設けられている。なお、発光表示部７８、導光部８６、発光手段７９は取り付け台８２の略全周に設けても良い。他の構成は各実施形態と同様である。
【００５７】
このように大型の可変入賞手段２５Ａと共通の開口部６８に対応して小型の可変入賞手段２５Ｂを遊技盤１１に装着する場合には取り付け台８２を使用し、その取り付け台８２を介して可変入賞手段２５Ｂを遊技盤１１に取り付けても良い。このようにすれば、入賞手段本体７０が小型であるにも拘わらず前飾り体７３を大きくする必要がなく、小型の可変入賞手段２５Ｂを大型兼用の開口部６８に対応して装着できる他、小型専用の開口部６８を設けた遊技盤１１にも装着できる。
【００５８】
また取り付け台８２を介在する場合には、入賞手段本体７０の外周面と開口部６８の内周面との隙間７６に対応して取り付け台８２に付属手段を設けることができる。例えば、取り付け台８２の前後に発光表示部７８、導光部８６を設ける等、取り付け台８２に発光演出手段を設けることが可能であり、この場合には前飾り体７３の外周部分に発光演出手段等を備えていない可変入賞手段２５Ｂであっても、それと取り付け台８２とを組み合わせることによって演出性の向上を図ることができる。
【００５９】
図１３〜図１５は本発明の第５の実施形態を例示する。図１３、図１４の実施形態では、取り付け台８２の前面で可変入賞手段２５Ｂの左右側方に、上方から落下する遊技球に変化を与えるための変化付与手段８７が設けられている。変化付与手段８７は前側に突出する突起、例えば遊技釘８８により構成され、開状態の開閉扉７１よりも上側で取り付け台８２の取り付け孔９０に圧入等により固定されている。取り付け台８２の裏側には開口部６８内に位置する周壁部８９が一体に設けられ、この周壁部８９の内周で取り付け台８２から裏側に一体に突出するボス等に取り付け孔９０が前後方向に設けられている。
【００６０】
変化付与手段８７は遊技釘８８等の突起により構成する他、図１５に示すように、取り付け台８２に一体に形成した突起９１により構成しても良い。他の構成は各実施形態と同様である。
【００６１】
このように取り付け台８２を使用して可変入賞手段２５を遊技盤１１に装着する場合には、取り付け台８２から前側に突出する突起等の変化付与手段８７を可変入賞手段２５の両側方又は一側方に設けることが可能である。この場合には、上方から落下する遊技球が変化付与手段８７に衝突したときに、その衝突箇所の違いによって遊技球の落下方向を左右に変化させることができる。従って、可変入賞手段２５の側方近傍を落下する遊技球が変化付与手段８７によって開閉扉７１側へと移動する可能性があり、遊技者の興趣を喚起することができる。
【００６２】
なお、取り付け台８２に変化付与手段８７を設けるに当たっては、可変入賞手段２５の左右両側に対応して配置しても良いし、可変入賞手段２５の上側に対応してその左右中央部等の適当箇所に１個又は左右方向に複数個配置しても良い。また取り付け台８２を使用しない可変入賞手段２５の場合には、その前飾り体７３に同様に設けても良い。更に変化付与手段８７の突出高さは、開閉扉７１の開状態の突出量と略同程度が適当であるが、その突出量よりも短くても良い。
【００６３】
以上、本発明の各実施形態について詳述したが、本発明はこの各実施形態に限定されるものではなく、本発明の趣旨を逸脱しない範囲で種々の変更が可能である。例えば遊技盤１１の開口部２８，６８に対応して装着する遊技部品として、画像表示手段２２、可変入賞手段２５を例示しているが、画像表示手段２２、可変入賞手段２５以外の各種の遊技部品においても同様に実施可能である。
【００６４】
また画像表示手段２２、可変入賞手段２５の場合にも、各実施形態に例示の構造以外のものを採用しても良い。例えば１個の前飾り体７３に複数個の普通入賞手段２６を設け、この前飾り体７３を介して複数個の普通入賞手段２６を遊技盤１１に着脱自在に装着するに際し、前飾り体７３に対する各普通入賞手段２６の配置位置が異なる複数種類のものがある場合、各種類に対応可能な共通の開口部を設けておき、その開口部の範囲内で各普通入賞手段２６が所定位置に位置するように遊技盤１１に装着しても良い。
【００６５】
画像表示手段２２のような遊技部品の場合には、画像表示部２９の外周側で遊技盤１１の開口部２８を前側から覆うに当たっては、取り付け板５２を含む前飾り体３０により開口部２８を前側から覆うように構成すればよい。従って、取り付け板５２のみで開口部２８を覆うように構成する必要はない。
【００６６】
また取り付け板５２を含む前飾り体３０は、画像表示部２９の外周側で遊技盤１１の開口部２８を前側から覆う他、画像表示部２９の外周側から内側に入る領域を前側から覆うようにしてもよい。特に遊技盤１１が透明型の場合には、その遊技盤１１及び／又は透明な前飾り体３０を介して画像表示部２９の演出画像を透視できるようにしてもよい。
【００６７】
画像表示手段２２、可変入賞手段２５等の遊技部品において、開口部２８，６８の内側に対応する内側対応部は、開口部２８，６８の内側に配置される内側配置部の他に、開口部２８，６８の内側に対応して遊技盤１１の裏側に配置される裏側配置部を含むものである。遊技盤１１は透明型の他、木製の不透明型でも良い。また本発明はアレンジボール機、雀球遊技機等の他の弾球遊技機、更にはスロットマシン等の各種の遊技機においても同様に実施可能であることは云うまでもない。
【符号の説明】
【００６８】
１１  遊技盤
１２  裏構造体
２２，２２Ａ，２２Ｂ  画像表示手段（遊技部品）
２５，２５Ａ，２５Ｂ  可変入賞手段（遊技部品）
２９  画像表示部（裏側対応部）
３０，７３  前飾り体
４４  可動演出手段
５３  裏周壁部（内側配置部）
７０  入賞手段本体（内側配置部）
７９  発光手段
８２  取り付け台
【要約】      （修正有）【課題】遊技盤の製作コストを低減できる弾球遊技機を提供する。【解決手段】遊技盤１１の遊技領域の開口部２８に対応して画像表示手段、可変入賞手段が装着される。遊技盤１１は複数機種の画像表示手段、可変入賞手段に対応可能な共通の開口部２８を備えている。画像表示手段は開口部の内側に対応して配置された画像表示部２９と、この画像表示部２９の外周に対応して設けられ且つ遊技盤１１の前面に当接する前飾り体３０とを含む。可変入賞手段は開口部の内側に配置された入賞手段本体と、この入賞手段本体の外周に対応して設けられ且つ遊技盤１１の前面に当接する前飾り体とを含む。【選択図】図２【図１】
0005502981.tif 000002
【図２】
0005502981.tif 000003
【図３】
0005502981.tif 000004
【図４】
0005502981.tif 000005
【図５】
0005502981.tif 000006
【図６】
0005502981.tif 000007
【図７】
0005502981.tif 000008
【図８】
0005502981.tif 000009
【図９】
0005502981.tif 000010
【図１０】
0005502981.tif 000011
【図１１】
0005502981.tif 000012
【図１２】
0005502981.tif 000013
【図１３】
0005502981.tif 000014
【図１４】
0005502981.tif 000015
【図１５】
0005502981.tif 000016